【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
方法であって、
メディアアセットの選択を受信することと、
ユーザ機器デバイスの複数のアクチュエータを自動的に再プログラムすることと
を含み、
前記自動的に再プログラムすることは、
前記選択されたメディアセットと関連付けられたメタデータに基づいて、前記選択されたメディアアセットが対応するカテゴリを判定することと、
前記カテゴリに対応し、かつ現在視聴にアクセス可能である、複数のメディアアセットを識別することと、
前記ユーザ機器デバイスの複数のアクチュエータと前記複数のメディアアセットとの間の対応を生成することであって、前記対応は、前記複数のメディアアセットの第１のメディアアセットが前記複数のアクチュエータの第１のアクチュエータに対応し、前記複数のメディアアセットの第２のメディアアセットが前記複数のアクチュエータの第２のアクチュエータに対応することを示す、ことと、
前記第１のアクチュエータのユーザ選択を受信することに応答して、表示のために、前記第１のアクチュエータに対応する前記第１のメディアセットを生成することと、
前記第２のアクチュエータのユーザ選択を受信することに応答して、表示のために、前記第２のアクチュエータに対応する前記第２のメディアセットを生成することと
を含む、方法。
【請求項２】
表示のために、前記対応を記述するマッピングを生成することをさらに含む、請求項１に記載の方法。
【請求項３】
前記方法は、ユーザ入力に応答して、前記マッピングの表示をオンまたはオフにトグルすることをさらに含み、または、
前記第１のメディアアセットは、第１のデバイス上に表示され、前記マッピングは、前記第１のデバイスと異なる第２のデバイス上に表示される、請求項２に記載の方法。
【請求項４】
前記対応を生成することは、前記複数のメディアアセットをランク付けすることを含み、前記複数のメディアアセットの第１のメディアアセットは、第１位にランク付けされ、前記複数のメディアアセットの第２のメディアアセットは、第２位にランク付けされる、請求項１〜３のうちのいずれかに記載の方法。
【請求項５】
前記ランク付けすることはさらに、
ユーザプロファイルにアクセスすることと、
前記ユーザプロファイルに基づいて、前記ユーザの選好を判定することと、
前記複数のメディアアセットを前記複数のメディアアセットの各メディアアセットが前記判定された選好に密接に合致する順番でランク付けすることと
を含み、または、
前記カテゴリは、スポーツであり、前記ランク付けすることはさらに、
前記複数のメディアアセットの各メディアアセットと関連付けられたチームを判定することと、
前記複数のメディアアセットの各他のメディアアセットと関連付けられた各他のチームと比較して、前記チームの相対的ランク付けを判定することと、
前記判定された相対的ランク付けに基づいて、各メディアアセットをランク付けすることと
を含む、請求項４に記載の方法。
【請求項６】
前記複数のメディアアセットは、複数の放送スポーツ番組を備え、
前記ユーザ機器デバイスは、遠隔制御デバイスであり、
前記複数のアクチュエータの各アクチュエータは、前記遠隔制御デバイスの番号付与されたボタンであり、
前記対応は、前記遠隔制御デバイスの番号付与されたボタンのうちの１つへの前記複数の放送スポーツ番組の放送スポーツ番組のマッピングを備える、請求項１に記載の方法。
【請求項７】
前記複数のアクチュエータの各アクチュエータは、通常機能を割り当てられ、前記対応を生成することに応答して、前記複数のアクチュエータの各アクチュエータは、ある時間周期の間、新しい機能を割り当てられ、前記方法はさらに、前記時間周期の終了時に、前記通常機能を前記複数のアクチュエータの各アクチュエータに再割り当てすることを含み、前記時間周期は、
所定の時間周期と、
前記選択されたメディアアセットの終了と、
前記新しい機能が割り当てられたときに開始し、前記通常機能を前記複数のアクチュエータの各アクチュエータに再割り当てするユーザ要求に応じて終了する、時間周期と
のうちの少なくとも１つを備える、請求項１〜６のうちのいずれかに記載の方法。
【請求項８】
システムであって、
メディアアセットの選択を受信するための手段と、
ユーザ機器デバイスの複数のアクチュエータを自動的に再プログラムするための手段と
を備え、
前記自動的に再プログラムするための手段は、
前記選択されたメディアセットと関連付けられたメタデータに基づいて、前記選択されたメディアアセットが対応するカテゴリを判定するための手段と、
前記カテゴリに対応し、かつ現在視聴にアクセス可能である、複数のメディアアセットを識別するための手段と、
前記ユーザ機器デバイスの複数のアクチュエータと前記複数のメディアアセットとの間の対応を生成するための手段であって、前記対応は、前記複数のメディアアセットの第１のメディアアセットが前記複数のアクチュエータの第１のアクチュエータに対応し、前記複数のメディアアセットの第２のメディアアセットが前記複数のアクチュエータの第２のアクチュエータに対応することを示す、手段と、
前記第１のアクチュエータのユーザ選択を受信することに応答して、表示のために、前記第１のアクチュエータに対応する前記第１のメディアセットを生成することと、前記第２のアクチュエータのユーザ選択を受信することに応答して、表示のために、前記第２のアクチュエータに対応する前記第２のメディアセットを生成することとを行うための手段と
を備える、システム。
【請求項９】
表示のために、前記対応を記述するマッピングを生成するための手段と、
ユーザ入力に応答して、前記マッピングの表示をオンまたはオフにトグルする手段、および前記選択されたメディアアセットを第１のデバイス上に表示し、前記マッピングを前記第１のデバイスと異なる第２のデバイス上に表示するための手段のうちの１つと
をさらに備える、請求項８に記載のシステム。
【請求項１０】
前記対応を生成するための手段は、前記複数のメディアアセットをランク付けするための手段を備え、前記複数のメディアアセットの第１のメディアアセットは、第１位にランク付けされ、前記複数のメディアアセットの第２のメディアアセットは、第２位にランク付けされ、
前記ランク付けするための手段は、
ユーザプロファイルにアクセスするための手段と、
前記ユーザプロファイルに基づいて、前記ユーザの選好を判定するための手段と、
前記複数のメディアアセットを前記複数のメディアアセットの各メディアアセットが前記判定された選好に密接に合致する順番でランク付けするための手段と
を備える、請求項８または９に記載のシステム。
【請求項１１】
前記対応を生成するための手段は、前記複数のメディアアセットをランク付けするための手段を備え、前記複数のメディアアセットの第１のメディアアセットは、第１位にランク付けされ、前記複数のメディアアセットの第２のメディアアセットは、第２位にランク付けされ、
前記カテゴリは、スポーツであり、前記ランク付けするための手段は、
前記複数のメディアアセットの各メディアアセットと関連付けられたチームを判定するための手段と、
前記複数のメディアアセットの各他のメディアアセットと関連付けられた各他のチームと比較して、前記チームの相対的ランク付けを判定するための手段と、
前記判定された相対的ランク付けに基づいて、各メディアアセットをランク付けするための手段と
を備える、請求項８または９に記載のシステム。
【請求項１２】
前記複数のアクチュエータの各アクチュエータは、通常機能を割り当てられ、前記対応を生成することに応答して、前記複数のアクチュエータの各アクチュエータは、ある時間周期の間、新しい機能を割り当てられ、前記システムはさらに、前記時間周期の終了時に、前記通常機能を前記複数のアクチュエータの各アクチュエータに再割り当てするための手段を備え、前記時間周期は、
所定の時間周期と、
前記選択されたメディアアセットの終了と、
前記新しい機能が割り当てられたときに開始し、前記通常機能を前記複数のアクチュエータの各アクチュエータに再割り当てするユーザ要求に応じて終了する、時間周期と
のうちの少なくとも１つを備える、請求項８〜１１のうちのいずれかに記載のシステム。
【手続補正２】
【補正対象書類名】明細書
【補正対象項目名】０００８
【補正方法】変更
【補正の内容】
【０００８】
いくつかの実施形態では、複数のアクチュエータの各アクチュエータは、通常機能が割り当てられてもよい。例えば、前述の遠隔制御実施例では、遠隔制御ボタン１−９は、制御回路にどのチャネルが同調されるべきかを説明する通常機能が割り当てられてもよい。制御回路は、しかしながら、アクチュエータと複数のメディアアセットとの間の対応を生成することに応答して、複数のアクチュエータの各アクチュエータに、ある時間周期の間、機能を割り当ててもよい。例えば、遠隔制御上の１−９ボタンは、遠隔制御ボタンが作動されると、押下される番号によって示されるチャネルに同調するのではなく、特定のメディアアセットへの同調の機能が割り当てられてもよい。制御回路は、次いで、その時間周期後、アクチュエータの通常機能を再割り当てさせてもよい。アクチュエータのその通常機能への再割当は、例えば、所定の時間周期後、選択されたメディアアセット終了後、またはアクチュエータの通常機能を再割り当てするユーザ要求に応答して生じてもよい。
本願明細書は、例えば、以下の項目も提供する。
（項目１）
方法であって、
メディアアセットの選択を受信するステップと、
前記メディアアセットが対応するカテゴリを判定するステップと、
（１）前記カテゴリに対応し、（２）現在利用可能な複数のメディアアセットを識別するステップと、
ユーザ機器デバイスの複数のアクチュエータと前記複数のメディアアセットとの間の対応を生成するステップと、
を含む、方法。
（項目２）
表示のために、前記対応を記述するマッピングを生成するステップをさらに含む、項目１に記載の方法。
（項目３）
ユーザ入力に応答して、前記マッピングの表示をオンまたはオフにトグルするステップをさらに含む、項目２に記載の方法。
（項目４）
前記選択されたメディアアセットは、第１のデバイス上に表示され、前記マッピングは、前記第１のデバイスと異なる第２のデバイス上に表示される、項目２に記載の方法。
（項目５）
前記対応を生成するステップは、
前記複数のメディアアセットをランク付けするステップであって、前記複数のメディアアセットの第１のメディアアセットは、第１位にランク付けされ、前記複数のメディアアセットの第２のメディアアセットは、第２位にランク付けされる、ステップと、
前記複数のアクチュエータの第１のアクチュエータを前記第１のメディアアセットに対応させるステップと、
前記複数のアクチュエータの第２のアクチュエータを前記第２のメディアアセットに対応させるステップと、
を含む、項目１に記載の方法。
（項目６）
前記ランク付けするステップはさらに、
ユーザプロファイルにアクセスするステップと、
前記ユーザプロファイルに基づいて、前記ユーザの選好を判定するステップと、
前記複数のメディアアセットを前記複数のメディアアセットの各メディアアセットが前記判定された選好に密接に合致する順番でランク付けするステップと、
を含む、項目５に記載の方法。
（項目７）
前記カテゴリは、スポーツであり、前記ランク付けするステップはさらに、
前記複数のメディアアセットの各メディアアセットと関連付けられたチームを判定するステップと、
前記複数のメディアアセットの各他のメディアアセットと関連付けられた各他のチームと比較して、前記チームの相対的ランク付けを判定するステップと、
前記判定された相対的ランク付けに基づいて、各メディアアセットをランク付けするステップと、
を含む、項目５に記載の方法。
（項目８）
前記複数のアクチュエータの各アクチュエータは、通常機能が割り当てられ、前記対応を生成するステップに応答して、前記複数のアクチュエータの各アクチュエータは、ある時間周期の間、新しい機能が割り当てられ、前記方法はさらに、前記時間周期の終了時に、前記通常機能を前記複数のアクチュエータの各アクチュエータに再割り当てするステップを含む、項目１に記載の方法。
（項目９）
前記時間周期は、所定の時間周期、前記選択されたメディアアセットの終了、および前記新しい機能が割り当てられたときに開始し、前記通常機能が前記複数のアクチュエータの各アクチュエータに再割り当てするユーザ要求に応じて終了する、時間周期のうちの少なくとも１つを備える、項目８に記載の方法。
（項目１０）
前記複数のメディアアセットは、複数の放送スポーツ番組を備え、
前記ユーザ機器デバイスは、遠隔制御デバイスであり、
前記複数のアクチュエータの各アクチュエータは、前記遠隔制御デバイスの番号付与されたボタンであり、
前記対応は、前記遠隔制御デバイスの番号付与されたボタンのうちの１つへの前記複数の放送スポーツ番組の放送スポーツ番組のマッピングを備える、
項目１に記載の方法。
（項目１１）
システムであって、
ユーザ入力回路と、
制御回路であって、
前記ユーザ入力回路を使用して、メディアアセットの選択を受信することと、
前記メディアアセットが対応するカテゴリを判定することと、
複数のメディアアセットを識別することであって、前記複数のメディアアセットは、（１）前記カテゴリに対応し、（２）現在利用可能である、ことと、
ユーザ機器デバイスの複数のアクチュエータと前記複数のメディアアセットとの間の対応を生成することと
を行うように構成される、制御回路と、
を備える、システム。
（項目１２）
前記制御回路はさらに、
表示のために、前記対応を記述するマッピングを生成するように構成される、項目１１に記載のシステム。
（項目１３）
前記制御回路はさらに、
ユーザ入力に応答して、前記マッピングの表示をオンまたはオフにトグルするように構成される、項目１２に記載のシステム。
（項目１４）
前記選択されたメディアアセットは、第１のデバイス上に表示され、前記マッピングは、前記第１のデバイスと異なる第２のデバイス上に表示される、項目１２に記載のシステム。
（項目１５）
前記制御回路はさらに、前記対応を生成するとき、
前記複数のメディアアセットをランク付けすることであって、前記複数のメディアアセットの第１のメディアアセットは、第１位にランク付けされ、前記複数のメディアアセットの第２のメディアアセットは、第２位にランク付けされる、ことと、
前記複数のアクチュエータの第１のアクチュエータを前記第１のメディアアセットに対応させることと、
前記複数のアクチュエータの第２のアクチュエータを前記第２のメディアアセットに対応させることと
を行うように構成される、項目１１に記載のシステム。
（項目１６）
前記制御回路はさらに、前記複数のメディアアセットをランク付けするとき、
ユーザプロファイルにアクセスすることと、
前記ユーザプロファイルに基づいて、前記ユーザの選好を判定することと、
前記複数のメディアアセットを前記複数のメディアアセットの各メディアアセットが前記判定された選好に密接に合致する順番でランク付けすることと
を行うように構成される、項目１５に記載のシステム。
（項目１７）
前記カテゴリは、スポーツであり、前記制御回路はさらに、前記複数のメディアアセットをランク付けするとき、
前記複数のメディアアセットの各メディアアセットと関連付けられたチームを判定することと、
前記複数のメディアアセットの各他のメディアアセットと関連付けられた各他のチームと比較して、前記チームの相対的ランク付けを判定することと、
前記判定された相対的ランク付けに基づいて、各メディアアセットをランク付けすることと
を行うように構成される、項目１５に記載のシステム。
（項目１８）
前記複数のアクチュエータの各アクチュエータは、通常機能が割り当てられ、前記対応を生成するステップに応答して、前記複数のアクチュエータの各アクチュエータは、ある時間周期の間、新しい機能が割り当てられ、前記制御回路はさらに、前記時間周期の終了時に、前記通常機能を前記複数のアクチュエータの各アクチュエータに再割り当てするように構成される、項目１１に記載のシステム。
（項目１９）
前記時間周期は、所定の時間周期、前記選択されたメディアアセットの終了、および前記新しい機能が割り当てられたときに開始し、前記通常機能が前記複数のアクチュエータの各アクチュエータに再割り当てするユーザ要求に応じて終了する、時間周期のうちの少なくとも１つを備える、項目１８に記載のシステム。
（項目２０）
前記複数のメディアアセットは、複数の放送スポーツ番組を備え、
前記ユーザ機器デバイスは、遠隔制御デバイスであり、
前記複数のアクチュエータの各アクチュエータは、前記遠隔制御デバイスの番号付与されたボタンであり、
前記対応は、前記遠隔制御デバイスの番号付与されたボタンのうちの１つへの前記複数の放送スポーツ番組の放送スポーツ番組のマッピングを備える、
項目１１に記載のシステム。
（項目２１）
システムであって、
メディアアセットの選択を受信するための手段と、
前記メディアアセットが対応するカテゴリを判定するための手段と、
複数のメディアアセットを識別するための手段であって、前記複数のメディアアセットは、（１）前記カテゴリに対応し、（２）現在利用可能である、手段と、
ユーザ機器デバイスの複数のアクチュエータと前記複数のメディアアセットとの間の対応を生成するための手段と、
を備える、システム。
（項目２２）
表示のために、前記対応を記述するマッピングを生成するための手段をさらに備える、項目２１に記載のシステム。
（項目２３）
ユーザ入力に応答して、前記マッピングの表示をオンまたはオフにトグルするための手段をさらに備える、項目２２に記載のシステム。
（項目２４）
前記選択されたメディアアセットは、第１のデバイス上に表示され、前記マッピングは、前記第１のデバイスと異なる第２のデバイス上に表示される、項目２２に記載のシステム。
（項目２５）
前記対応を生成するための手段は、
前記複数のメディアアセットをランク付けするための手段であって、前記複数のメディアアセットの第１のメディアアセットは、第１位にランク付けされ、前記複数のメディアアセットの第２のメディアアセットは、第２位にランク付けされる、手段と、
前記複数のアクチュエータの第１のアクチュエータを前記第１のメディアアセットに対応させるための手段と、
前記複数のアクチュエータの第２のアクチュエータを前記第２のメディアアセットに対応させるための手段と、
を備える、項目２１に記載のシステム。
（項目２６）
前記ランク付けするための手段はさらに、
ユーザプロファイルにアクセスするための手段と、
前記ユーザプロファイルに基づいて、前記ユーザの選好を判定するための手段と、
前記複数のメディアアセットを前記複数のメディアアセットの各メディアアセットが前記判定された選好に密接に合致する順番でランク付けするための手段と、
を備える、項目２５に記載のシステム。
（項目２７）
前記カテゴリは、スポーツであり、前記ランク付けするための手段はさらに、
前記複数のメディアアセットの各メディアアセットと関連付けられたチームを判定するための手段と、
前記複数のメディアアセットの各他のメディアアセットと関連付けられた各他のチームと比較して、前記チームの相対的ランク付けを判定するための手段と、
前記判定された相対的ランク付けに基づいて、各メディアアセットをランク付けするための手段と、
を備える、項目２５に記載のシステム。
（項目２８）
前記複数のアクチュエータの各アクチュエータは、通常機能が割り当てられ、前記対応を生成するステップに応答して、前記複数のアクチュエータの各アクチュエータは、ある時間周期の間、新しい機能が割り当てられ、前記システムはさらに、前記時間周期の終了時に、前記通常機能を前記複数のアクチュエータの各アクチュエータに再割り当てするための手段を備える、項目２１に記載のシステム。
（項目２９）
前記時間周期は、所定の時間周期、前記選択されたメディアアセットの終了、および前記新しい機能が割り当てられたときに開始し、前記通常機能が前記複数のアクチュエータの各アクチュエータに再割り当てするユーザ要求に応じて終了する、時間周期のうちの少なくとも１つを備える、項目２８に記載のシステム。
（項目３０）
前記複数のメディアアセットは、複数の放送スポーツ番組を備え、
前記ユーザ機器デバイスは、遠隔制御デバイスであり、
前記複数のアクチュエータの各アクチュエータは、前記遠隔制御デバイスの番号付与されたボタンであり、
前記対応は、前記遠隔制御デバイスの番号付与されたボタンのうちの１つへの前記複数の放送スポーツ番組の放送スポーツ番組のマッピングを備える、
項目２１に記載のシステム。
（項目３１）
方法であって、
ユーザから、メディアアセットの選択を受信するステップと、
前記メディアアセットが対応するカテゴリを判定するステップと、
複数のメディアアセットを識別するステップであって、前記複数のメディアアセットは、（１）前記カテゴリに対応し、（２）現在利用可能である、ステップと、
ユーザ機器デバイスの複数のアクチュエータと前記複数のメディアアセットとの間の対応を生成するステップと、
を含む、方法。
（項目３２）
表示のために、前記対応を記述するマッピングを生成するステップをさらに含む、項目３１に記載の方法。
（項目３３）
ユーザ入力に応答して、前記マッピングの表示をオンまたはオフにトグルするステップをさらに含む、項目３１および３２のいずれかに記載の方法。
（項目３４）
前記選択されたメディアアセットは、第１のデバイス上に表示され、前記マッピングは、前記第１のデバイスと異なる第２のデバイス上に表示される、項目３１−３３のいずれかに記載の方法。
（項目３５）
前記対応を生成するステップは、
前記複数のメディアアセットをランク付けするステップであって、前記複数のメディアアセットの第１のメディアアセットは、第１位にランク付けされ、前記複数のメディアアセットの第２のメディアアセットは、第２位にランク付けされる、ステップと、
前記複数のアクチュエータの第１のアクチュエータを前記第１のメディアアセットに対応させるステップと、
前記複数のアクチュエータの第２のアクチュエータを前記第２のメディアアセットに対応させるステップと、
を含む、項目３１−３４のいずれかに記載の方法。
（項目３６）
前記ランク付けするステップはさらに、
ユーザプロファイルにアクセスするステップと、
前記ユーザプロファイルに基づいて、前記ユーザの選好を判定するステップと、
前記複数のメディアアセットを前記複数のメディアアセットの各メディアアセットが前記判定された選好に密接に合致する順番でランク付けするステップと、
を含む、項目３１−３５のいずれかに記載の方法。
（項目３７）
前記カテゴリは、スポーツであり、前記ランク付けするステップはさらに、
前記複数のメディアアセットの各メディアアセットと関連付けられたチームを判定するステップと、
前記複数のメディアアセットの各他のメディアアセットと関連付けられた各他のチームと比較して、前記チームの相対的ランク付けを判定するステップと、
前記判定された相対的ランク付けに基づいて、各メディアアセットをランク付けするステップと、
を含む、項目３１−３５のいずれかに記載の方法。
（項目３８）
前記複数のアクチュエータの各アクチュエータは、通常機能が割り当てられ、前記対応を生成するステップに応答して、前記複数のアクチュエータの各アクチュエータは、ある時間周期の間、新しい機能が割り当てられ、前記方法はさらに、前記時間周期の終了時に、前記通常機能を前記複数のアクチュエータの各アクチュエータに再割り当てするステップを含む、項目３１−３７のいずれかに記載の方法。
（項目３９）
前記時間周期は、所定の時間周期、前記選択されたメディアアセットの終了、および前記新しい機能が割り当てられたときに開始し、前記通常機能が前記複数のアクチュエータの各アクチュエータに再割り当てするユーザ要求に応じて終了する、時間周期のうちの少なくとも１つを備える、項目３１−３８のいずれかに記載の方法。
（項目４０）
前記複数のメディアアセットは、複数の放送スポーツ番組を備え、
前記ユーザ機器デバイスは、遠隔制御デバイスであり、
前記複数のアクチュエータの各アクチュエータは、前記遠隔制御デバイスの番号付与されたボタンであり、
前記対応は、前記遠隔制御デバイスの番号付与されたボタンのうちの１つへの前記複数の放送スポーツ番組の放送スポーツ番組のマッピングを備える、
項目３１−３９のいずれかに記載の方法。
（項目４１）
その上にエンコードされた機械可読命令を備える、非一過性機械可読媒体であって、前記命令は、
メディアアセットの選択を受信するための命令と、
前記メディアアセットが対応するカテゴリを判定するための命令と、
複数のメディアアセットを識別するための命令であって、前記複数のメディアアセットは、（１）前記カテゴリに対応し、（２）現在利用可能である、命令と、
ユーザ機器デバイスの複数のアクチュエータと前記複数のメディアアセットとの間の対応を生成するための命令と、
を備える、非一過性機械可読媒体。
（項目４２）
前記命令はさらに、
表示のために、前記対応を記述するマッピングを生成するための命令を備える、項目４１に記載の非一過性機械可読媒体。
（項目４３）
前記命令はさらに、
ユーザ入力に応答して、前記マッピングの表示をオンまたはオフにトグルするための命令を備える、項目４２に記載の非一過性機械可読媒体。
（項目４４）
前記選択されたメディアアセットは、第１のデバイス上に表示され、前記マッピングは、前記第１のデバイスと異なる第２のデバイス上に表示される、項目４３に記載の非一過性機械可読媒体。
（項目４５）
前記対応を生成するための命令は、
前記複数のメディアアセットをランク付けするための命令であって、前記複数のメディアアセットの第１のメディアアセットは、第１位にランク付けされ、前記複数のメディアアセットの第２のメディアアセットは、第２位にランク付けされる、命令と、
前記複数のアクチュエータの第１のアクチュエータを前記第１のメディアアセットに対応させるための命令と、
前記複数のアクチュエータの第２のアクチュエータを前記第２のメディアアセットに対応させるための命令と、
を備える、項目４１に記載の非一過性機械可読媒体。
（項目４６）
前記ランク付けするための命令はさらに、
ユーザプロファイルにアクセスするための命令と、
前記ユーザプロファイルに基づいて、前記ユーザの選好を判定するための命令と、
前記複数のメディアアセットを前記複数のメディアアセットの各メディアアセットが前記判定された選好に密接に合致する順番でランク付けするための命令と、
を備える、項目４１に記載の非一過性機械可読媒体。
（項目４７）
前記カテゴリは、スポーツであり、前記ランク付けするための命令はさらに、
前記複数のメディアアセットの各メディアアセットと関連付けられたチームを判定するための命令と、
前記複数のメディアアセットの各他のメディアアセットと関連付けられた各他のチームと比較して、前記チームの相対的ランク付けを判定するための命令と、
前記判定された相対的ランク付けに基づいて、各メディアアセットをランク付けするための命令と、
を備える、項目４５に記載の非一過性機械可読媒体。
（項目４８）
前記複数のアクチュエータの各アクチュエータは、通常機能が割り当てられ、前記対応を生成するステップに応答して、前記複数のアクチュエータの各アクチュエータは、ある時間周期の間、新しい機能が割り当てられ、前記命令はさらに、前記時間周期の終了時に、前記通常機能を前記複数のアクチュエータの各アクチュエータに再割り当てするための命令を備える、項目４１に記載の非一過性機械可読媒体。
（項目４９）
前記時間周期は、所定の時間周期、前記選択されたメディアアセットの終了、および前記新しい機能が割り当てられたときに開始し、前記通常機能が前記複数のアクチュエータの各アクチュエータに再割り当てするユーザ要求に応じて終了する、時間周期のうちの少なくとも１つを備える、項目４８に記載の非一過性機械可読媒体。
（項目５０）
前記複数のメディアアセットは、複数の放送スポーツ番組を備え、
前記ユーザ機器デバイスは、遠隔制御デバイスであり、
前記複数のアクチュエータの各アクチュエータは、前記遠隔制御デバイスの番号付与されたボタンであり、
前記対応は、前記遠隔制御デバイスの番号付与されたボタンのうちの１つへの前記複数の放送スポーツ番組の放送スポーツ番組のマッピングを備える、
項目４１に記載の非一過性機械可読媒体。